(57)【要約】【課題】計測した生体情報を携帯端末から受信し、医療機関等の所見等を返信するための技術手段の提供。【解決手段】生体情報を計測装置から取得する携帯端末１と、計測情報を移動体電話網回線１２を介して受信するセンターサーバ３と、計測情報を基に、健康管理の提供情報を作成する加盟関連施設端末２とを有する健康維持管理システム。センターサーバ３は携帯端末１及び加盟関連施設端末２と情報送受信を行う送受信手段２３、３１、携帯端末１が計測装置６から計測情報を取得するためのアプリケーションプログラムを記録する記録手段２５、提供手段２６、取得した計測情報を記録する生体情報記録手段２７、提供情報記録手段３２、生体情報を記録し、提供情報を記録すると共に携帯端末１に送信する制御手段２８、３６を有し、携帯端末１の仕様に応じたアプリケーションプログラムを送信する。【選択図】図１
2007286947.tif 000002
【特許請求の範囲】
【請求項１】
人体の生体情報を計測する計測装置による計測情報を取得する携帯端末から、前記計測情報を移動体電話網回線を介して受信するセンターサーバと、前記センターサーバから通信回線を介して送信される前記計測情報を基に、前記携帯端末送信用の健康管理の提供情報を作成する加盟関連施設端末とを備えてなる健康維持管理システムであって、
前記センターサーバは、前記携帯端末及び前記加盟関連施設端末と各種情報を送受信する送受信手段と、前記携帯端末が前記計測装置から計測情報を取得するためのインターフェースの仕様と、センターサーバに送信する通信方法及びデータフォーマットとを定めたアプリケーションプログラムを記録するアプリケーションプログラム記録手段と、前記携帯端末に前記アプリケーションプログラムを提供するアプリケーションプログラム提供手段と、取得した前記計測情報を記録する生体情報記録手段と、前記提供情報を記録する提供情報記録手段と、これらの各手段を制御して、前記生体情報を前記生体情報記録手段に記録し、前記提供情報を前記提供情報記録手段に記録すると共に前記携帯端末に送信する制御手段とを有し、
前記アプリケーションプログラム提供手段は、前記携帯端末の仕様に応じた前記アプリケーションプログラムを送信することを特徴とする健康維持管理システム。
【請求項２】
前記制御手段は、前記携帯端末から前記計測情報と共に前記計測装置の使用情報を併せて受信し、この受信した使用情報を前記計測装置関連会社の計測装置関連会社端末に送信すると共に、該計測装置関連会社端末から送信された計測装置関連情報を前記提供情報記録手段に記録するとともに前記提供情報に併せて前記携帯端末に送信することを特徴とする請求項１に記載の健康維持管理システム。
【請求項３】
前記センターサーバは、インターネット回線を経由して前記携帯端末に前記提供情報及び前記計測装置関連情報を送信することを特徴とする請求項１又は２に記載の健康維持管理システム。
【請求項４】
前記携帯端末は、ＵＳＢケーブル、赤外線、接触式ＩＣカード及び非接触式ＩＣカードの何れかを介して前記計測装置から前記計測情報を取得することを特徴とする請求項１ないし３の何れか１項に記載の健康維持管理システム。
【請求項５】
前記センターサーバは、前記加盟関連施設端末及び計測装置関連会社端末とは前記インターネット回線を介して前記計測情報、提供情報、使用情報及び計測装置関連情報を送受信することを特徴とする請求項１ないし４の何れか１項に記載の健康維持管理システム。
【発明の詳細な説明】
【技術分野】
【０００１】
本発明は、計測装置で計測した人体の血圧、脈拍等の生体情報を携帯端末から受信し、この生体情報に対する所見等を携帯端末に送信する健康維持管理システムに関するものである。
【背景技術】
【０００２】
体温や血圧などの生体情報を患者等の生体から測定し、この生体情報を通信回線を介して離れた位置にある医療機関に送信し、診断や指示を仰ぐ医療システムは従来より知られている（例えば、特許文献１参照。）
この特許文献１に記載の生体情報配信システムは、患者に装着した生体情報モニタから生体情報を取得したサーバが、医療スタッフの携帯端末にアラームを発生する情報と、生体情報にアクセスするためのＵＲＬ情報とを送信することで患者の生体情報を迅速に配信することができるものである。具体的には、医療スタッフの勤務シフトとその携帯端末の電話番号を登録したデータベースを備え、サーバが勤務体制にある関連の医療スタッフを検索してその携帯端末にアラーム発生情報とＵＲＬ情報とを送信することで、緊急時の対応をも可能とするものである。
【０００３】
また温度センサで測定した体温データを携帯通信端末にてデータサーバに送信し、データサーバはこの体温を集計して作成した体温表をこの携帯通信端末に表示させる、携帯通信端末による基礎体温測定システムが提案されている（例えば、特許文献２参照。）。
【特許文献１】特開２００３−３１９９１３号公報
【特許文献２】特開２００４−１３８４３９号公報
【発明の開示】
【発明が解決しようとする課題】
【０００４】
上記特許文献１に記載の生体情報配信システムによれば、患者と離れた医療スタッフに患者の緊急とその生体情報を迅速に配信することが可能であるが、日々生体情報を送信してその所見を得たいという健康維持管理を目的とするユーザの要望に応えるシステムになっていない。また上記特許文献２に記載の基礎体温測定システムによれば、測定したデータを集計したデータサーバから集計表として携帯通信端末の画面に表示するものの、各種の生体情報を計測してその所見を配信するというシステム構成になっていない。また各種計測装置で計測した生体情報を携帯端末が取得して送信するための通信形態や通信方法等については何ら言及されていない。
【０００５】
本発明は、各種計測装置で計測した生体情報を携帯端末から受信して、この生体情報に対する医療機関等の所見等を返信するための技術手段である健康維持管理システムの提供を目的とする。
【課題を解決するための手段】
【０００６】
前記目的を達成するために本発明が提案するものは、人体の生体情報を計測する計測装置による計測情報を取得する携帯端末から、前記計測情報を移動電話網回線を介して受信するセンターサーバと、前記センターサーバから通信回線を介して送信される前記計測情報を基に、前記携帯端末送信用の健康管理の提供情報を作成する加盟関連施設端末と、を備えてなる健康維持管理システムであって、前記センターサーバは、前記携帯端末及び前記加盟関連施設端末と各種情報を送受信する送受信手段と、前記携帯端末が前記計測装置から計測情報を取得するためのインターフェースの仕様と、センターサーバに送信する通信方法及びデータフォーマットとを定めたアプリケーションプログラムを記録するアプリケーションプログラム記録手段と、前記携帯端末に前記アプリケーションプログラムを提供するアプリケーションプログラム提供手段と、取得した前記計測情報を記録する生体情報記録手段と、前記提供情報を記録する提供情報記録手段と、これらの各手段を制御して、前記生体情報を前記生体情報記録手段に記録し、前記提供情報を前記提供情報記録手段に記録すると共に前記携帯端末に送信する制御手段とを有し、前記アプリケーションプログラム提供手段は、前記携帯端末の仕様に応じた前記アプリケーションプログラムを送信することを特徴とする健康維持管理システムである。
【０００７】
計測装置から生体情報を携帯端末が取得し、さらにこの携帯端末から移動電話網の無線通信回線を介してセンターサーバが前記生体情報を受信して健康管理の提供情報を作成する加盟関連施設端末に送信する。この加盟関連施設は送信された生体情報をもとに健康管理の提供情報を作成しセンターサーバに送信する。そしてセンターサーバはこの提供情報を携帯端末に送信するので、生体情報の送信によりその所見である提供情報を加盟関連施設より入出できるので、日々の健康維持管理を行うことができる。
【０００８】
そしてこの計測装置で計測した生体情報の取得とセンターサーバへの送信、提供情報の受信を携帯端末で行うことができるように、携帯端末の仕様に応じたアプリケーションプログラムを予めセンターサーバからダウンロードしておくことで対応するものである。このアプリケーションプログラムは、計測装置と携帯端末との間で生体情報を送受信するインターフェイス仕様と、携帯端末が使用する通信事業者ごとの通信仕様に対応すべく、センターサーバとの間における無線通信回線の通信方法及びデータフォーマット、使用言語等を定めたものである。
【０００９】
また前記制御手段は、前記携帯端末から前記計測情報と共に前記計測装置の使用情報を併せて受信し、この受信した使用情報を前記計測装置関連会社の計測装置関連会社端末に送信すると共に、該計測装置関連会社端末から送信された計測装置関連情報を前記提供情報記録手段に記録するとともに前記提供情報に併せて前記携帯端末に送信することが好ましい。
【００１０】
生体情報の計測に際しては、その計測装置の品番、製造番号、使用日時等の使用情報も生体情報と併せて受信し、この使用情報を計測装置のメーカーや販売会社等の計測装置関連会社の端末に送信すれば、製品の使用事実、使用形態の各種情報を得ることができる。そして計測装置関連会社はアンケート、新製品情報、サービス情報等をユーザに提供すべく計測装置関連情報を提供することができる。
【００１１】
前記センターサーバは、インターネット回線を経由して前記携帯端末に前記提供情報及び前記計測装置関連情報を送信することが好ましい。携帯端末による生体情報の送信は直接移動体電話網によりセンターサーバに送信するが、携帯端末で提供情報を受けるには入力画面や表示画面の作成上、途中インターネットを経由することで利用が容易になるからである。
【００１２】
前記携帯端末は、ＵＳＢケーブル、赤外線、接触式ＩＣカード、非接触式ＩＣカードの何れかを介して前記計測装置から前記計測情報を取得することが好ましい。
【００１３】
これらＵＳＢケーブル等の装置に対応するインターフェイス仕様を定めた前記アプリケーションプログラムを作動することにより、計測情報を計測装置から携帯端末に送り、さらにセンターサーバに送信することができる。
【００１４】
前記センターサーバは、前記加盟関連施設端末及び計測装置関連会社端末とはインターネットを介して前記計測情報、提供情報、使用情報及び計測装置関連情報を送受信することが好ましい。既存の通信を利用し、容易に各種情報の送受信が可能となるからである。
【発明の効果】
【００１５】
本発明によれば、計測した生体情報を携帯端末から受信することで、この生体情報に基づく所見である提供情報をセンターサーバが携帯端末に送信できるので、健康維持管理のシステムを構築することができる。
【００１６】
さらに計測装置の使用情報と計測装置関連情報の送受信を行うことで、装置の使用実績等の情報取得ができ、さらに計測装置のサービス情報等の最新情報を取得することが可能となる。
【発明を実施するための最良の形態】
【００１７】
以下、添付図面を参照して本発明の好ましい実施形態を説明する。図１は本発明の実施形態である健康維持管理システムの概略構成図、図２は携帯電話による生体情報の取得及び送信の流れ図、図３は計測対象入力画面図、図４は提供サービスである提供情報及び計測装置関連情報を受ける手順の流れ図、図５は提供サービスの選択画面、図６は提供情報の表示画面、図７は計測装置関連情報の表示画面である。
【００１８】
図１に示すように、健康維持管理システムは主として、血圧、体重等の生体情報を送信してその所見等の情報を受信する携帯端末である利用者の携帯電話１と、受信した生体情報を加盟関連施設端末２に送信し、その所見等を受信して利用者の携帯電話１に送信するセンターサーバ３と、生体情報を計測する計測装置のメーカー等の計測装置関連会社端末５と、生体情報を計測する計測装置６と、を備えてなるものである。また利用者は携帯電話１のほかＰＣ等の利用者端末７を有し、センターサーバ３からの情報を受信することができる。
【００１９】
計測装置６は、血圧計６ａ、脈拍計６ｂ、体重計６ｃ、体脂肪計６ｄ等からなり、それぞれ携帯電話１と計測した情報等を送受信するためのインターフェイス（Ｉ／Ｆ）を有しており、携帯電話１のインターフェイス（図示せず）とＵＳＢケーブル１０及びアダプタにて接続される。なおＵＳＢケーブル１１の代わりに赤外線装置を相互に設けて赤外線により情報の送受信をしたり、あるいは、接触式ＩＣカード、非接触式ＩＣカードにより生体情報等を取り込むこともできる。計測装置６についても、その他例えば酸素飽和度（ＳｐＯ２）の計測計等を備えてもよく、また血圧計６ａで脈拍を計測することで脈拍計６ｂを単独に設けなくてもよい。
【００２０】
携帯電話１は、広く使用されている携帯電話を使用することで利用者の便宜を図ることができるもので、生体情報は基地局１１と移動体電話網１２から関門交換機１３、電話網１５を経由してセンターサーバ３に送信される。なお後述するようにセンターサーバ３から生体情報に対する所見等である提供情報の送受信については、インターネット回線１６とゲートウェイ１７を経由して行うものである。
【００２１】
センターサーバ３は、携帯電話１にアプリケーションプログラムの提供と生体情報の受信記録を行なうデータ管理サーバ２１と、インターネットを介したデータの送受信を行うＷｅｂサーバ２２とを備えている。なおサーバを１台にして上記２台のサーバの役割を果たすこととしても良く、さらに３台以上のサーバを備えバックアップ用サーバ、管理用サーバ等の役割を与えてもよい。
【００２２】
データ管理サーバ２１は、携帯電話１と生体情報、アプリケーションプログラムの送受信を行う送受信手段２３と、携帯電話１に提供するアプリケーションプログラムを記録保存するアプリケーションプログラム記録手段２５と、アプリケーションプログラムを携帯電話１の仕様に応じて提供するアプリケーションプログラム提供手段２６と、携帯端末から送信される生体情報を記録する生体情報記録手段２７と、上記の各手段を制御するとともに受信した生体情報をＷｅｂサーバ２２に送信する役割をも有する制御手段２８とを有している。
【００２３】
アプリケーションプログラム記録手段２５に記録されるアプリケーションプログラムは、携帯電話１が各種の計測装置６から生体情報を取得するためのインターフェース仕様と、取得した生体情報を移動体通信網１２を介してセンターサーバ３に送信するための通信方法及びデータフォーマット等を定めたもので、携帯端末である携帯電話の通信提供業者によって異なる通信方法等にそれぞれ対応するものが用意されている。そのためアプリケーションプログラムの提供に際しては、各種携帯電話の仕様に応じたものが提供される。
【００２４】
データ管理サーバ２１は、コンピュータ本体と通信機器等の周辺機器とを備えてなり、アプリケーションプログラム記録手段２５及び生体情報記録手段２７は、コンピュータ本体の外部記憶装置が相当し、アプリケーションプログラム記録手段２５及び制御手段２８はＣＰＵ、ＲＡＭ等が相当しＯＳと本システム用の所定プログラムを作動させることでこれら各手段の機能を発揮させることができる。
【００２５】
Ｗｅｂサーバ２２は、インターネット回線１６を介して情報を送受信するＷｅｂサーバ送受信手段３１と、携帯電話１や利用者端末７に送信する提供情報及び計測装置関連情報を記録した提供情報記録手段３２と、提供情報及び計測装置関連情報の提供要求の選択画面と提供の表示画面の画面情報を記録する表示画面情報記録手段３３と、表示画面情報と提供情報及び計測装置関連情報に基づいて提供する表示画面を作成して提供する表示画面提供手段３５と、これら各手段を制御するＷｅｂサーバ制御手段３６とを有している。
【００２６】
加盟関連施設端末２は、本システムの利用者の生体情報をもとに健康維持管理の情報を提供する、医療機関、介護施設、給食提供施設、美容使節、運動施設等に備えられた端末装置であり、パーソナルコンピュータ、周辺機器等が相当する。医療機関等の関連施設は、利用者の生体情報をもとに健康維持管理のためのアドバイスや、関連情報を提供するものである。例えば、高血圧のデータが送信されたときは、医療機関は利用者に受診の勧め等を行い、介護施設や給食施設は減塩食の勧めとメニューの表示を行うことができる。さらに美容施設では体重等の数値管理を行い、生体情報に応じた指示を利用者にすることができる。これらの提供情報は加盟関連施設端末２からセンターサーバ３に送信され、センターサーバ３から利用者の携帯電話１、利用者端末７に送信される。
【００２７】
次に本実施形態の健康維持管理システムの動作について図２及び図４の流れ図、図３、図５から図７の画面図を参照して説明する。図２に示すように、本実施形態の健康維持管理システムの利用に際しては利用者の携帯電話１である携帯電話にキャリア別アプリケーションプログラムをセンターサーバ３からダウンロードしなければならない（Ｓ１）。このダウンロードは新規利用者に必要なものであり、すでに携帯電話にダウンロードして記録している利用者にはあらためて行う必要がない。
【００２８】
上述したように生体情報を各種の計測装置６から取得するためのインターフェイスの仕様と生体情報を移動体電話網を介して送信するための通信方法、データフォーマットを通信事業者ごとの仕様に対応したアプリケーションプログラムが、センターサーバ３を構成するデータ管理サーバ２１から送信される。
【００２９】
アプリケーションプログラムが携帯電話に記録されたあとは、本システムの利用開始のためにアプリケーションプログラムを起動する（Ｓ２）。起動はアプリケーションプログラムで定めた携帯電話１の所定キーの押下げ操作により行われる。
【００３０】
アプリケーションプログラム起動の当初は、図３に示す計測対象の選択画面が携帯電話の画面に表示され、利用者は画面上から対象を選択する（Ｓ３）。図３に示す選択画面には、利用者のＩＤとパスワードの入力欄が上段に表示されるので、自身のＩＤとパスワードを入力する。次に生体情報のうち計測したいものにチェックをいれることで選択することができる。選択は２以上行うことも可能である。
【００３１】
次に計測の生体情報に付随して食事内容、排泄状態、睡眠状態等を文字にて入力することができ、加盟関連施設からの所見等を含む提供情報の作成に加味してもらうことができる。例えば高血圧の生体情報のとき、食事内容の情報が添付されていれば、医療機関等の加盟関連施設は、食事内容の適否も併せて提供情報に加えることができる。
【００３２】
また各種計測装置６のメーカーに対し計測装置の使用情報を送信することができ、原則として使用情報が計測装置関連会社端末５に送信されるが、利用者がこれを忌避したいときは送信欄のチェックを外すことで、使用情報の収集と送信をとりやめるようになっている。
【００３３】
また生体情報の送信先である加盟関連施設を画面上で選択することができ、この選択に従って、センターサーバ３は該当する加盟関連施設端末２に生体情報を送信することになる。
【００３４】
以上の選択入力画面上の内容で送信するときは、確認欄を選択することで計測装置６から生体情報を取り込みが開始する（Ｓ４）。このとき選択対象の計測装置６と携帯電話１である携帯電話とは、生体情報の取り込みのためのＵＳＢケーブルがアダプタにより接続しておく必要がある。上記したようにＵＳＢケーブル以外の接続手段を使用することも可能である。
【００３５】
携帯電話に取り込まれた生体情報は、移動体電話網１２から関門交換機１３、電話網１５を経由してセンターサーバ３に送信される（Ｓ５）。これら一連の動作は、記録されたアプリケーションプログラムにより行われるものである。
【００３６】
送信後は、画面上に選択入力画面に戻るか、あるいは終了するかの選択要求の画面が表示され（図示せず）、選択によってそれぞれ選択入力画面または終了することになる（Ｓ６）。
【００３７】
次に、図４に示す提供情報及び計測装置関連情報を受ける手順の流れ図を参照して、提供情報及び計測装置関連情報の送受信の動作について説明する。図４に示すように健康維持管理システムが提供するウェブサイトにインターネット回線１６からアクセスすることにより開始する（Ｓ１１）。利用者はパーソナルコンピュータ等の利用者端末７からアクセスすることも可能で、また携帯電話の移動体電話回線１２からケートウェイ１７を経由してインターネット回線１６に接続し、ウェブサイトにアクセスすることができる。
【００３８】
ウェブサイトにアクセス後は、利用者端末７や、携帯電話１である携帯電話の画面上に図５の提供サービス選択画面が表示される。なおＷｅｂサーバ２２の表示画面提供手段３５は、実際には通信形態の相違により、利用者端末７に提供する画面のほか、携帯電話専用の表示画面の双方を作成し、それぞれ提供することになるが、説明上差がないため同一の画面図を用いて説明する。
【００３９】
図５の提供サービス選択画面が利用者端末７又は携帯電話の画面に表示されたあとは、画面にＩＤとパスワードとを入力する（Ｓ１２）。そして求める情報を選択し、特定する（Ｓ１３）。選択は生体情報に対する所見的意味合いのある加盟関連施設からの提供情報と、各種計測装置メーカーからの計測装置関連情報であり、提供情報は最新のものと過去の履歴とを選択でき、計測装置関連情報については計測装置ごとの情報を選択することができる。選択内容が決定したときは確認欄を選択することで該当する情報がセンターサーバ３のＷｅｂサーバ３２から送信提供される（Ｓ１４）。
【００４０】
図６は生体情報に対する加盟関連施設からの所見である提供情報のうち、履歴の一覧を示す画面図である。これによれば利用者の個人情報漏洩を極力回避するため、ＩＤと性別、生年月日、年齢のみで特定し、あとは身長、体重に、計測した生体情報とその日付、所見等の履歴を掲載するようになっている。
【００４１】
図７は、計測装置メーカーからの計測装置関連情報の提供画面図であり、利用者のＩＤ番号に加え、使用計測装置の製造年、型番、製造番号が表示される。そして計測装置の修理サービス店の紹介、新製品の案内等が画面上表示されるようになっている。
【００４２】
利用者は図６又は図７の最下欄にある選択画面で再度入力画面に戻ることや、終了を選択することができる（Ｓ１５）。
【００４３】
このように本実施形態の健康維持管理システムによれば、予め携帯電話のキャリア別のアプリケーションプログラムをダウンロードするので、利用者の血圧、体重等の生体情報を計測装置から各種仕様の異なる携帯電話で取得し、センターサーバに送信することができる。そして生体情報を医療機関等の加盟関連施設に送信して所見等を得ることができ、これをウェブサイト上から利用者が閲覧できるので健康維持管理の増進に有効なシステムを提供することができる。
【００４４】
さらに生体情報に加え、計測装置の使用情報をメーカーに送信することができるので、メーカーは実際に使用事実の情報を得ることができ、さらに利用者に対してサービスや新製品の情報を提供することができる。
【００４５】
以上、本発明の好ましい実施形態を添付図面を参照して説明したが、本発明はかかる実施形態に限定されるものではなく、特許請求の範囲の記載から把握される技術的範囲において、種々の形態に変更可能である。
【００４６】
例えば、前述した実施形態では、生体の計測装置として血圧計等を記載したが記載以外の計測装置を使用して生体情報を得てセンターサーバに送信してもよい。
【図面の簡単な説明】
【００４７】
【図１】本発明の実施形態である健康維持管理システムの概略構成図。
【図２】携帯電話による生体情報の取得及び送信の流れ図。
【図３】計測対象入力画面図。
【図４】提供情報及び計測装置関連情報を受ける手順の流れ図。
【図５】供サービスの選択画面図。
【図６】提供情報の表示画面図。
【図７】計測装置関連情報の表示画面。
【符号の説明】
【００４８】
１  携帯電話
２  加盟関連施設端末
３  センターサーバ
５  計測装置関連会社端末
６  計測装置
７  利用者端末
２１  データ管理サーバ
２２  Ｗｅｂサーバ
２３  送受信手段
２５  アプリケーションプログラム記録手段
２６  アプリケーションプログラム提供手段
２７  生体情報記録手段
２８  制御手段
３１  Ｗｅｂサーバ送受信手段
３２  提供情報記録手段
【図１】
2007286947.tif 000003
【図２】
2007286947.tif 000004
【図３】
2007286947.tif 000005
【図４】
2007286947.tif 000006
【図５】
2007286947.tif 000007
【図６】
2007286947.tif 000008
【図７】
2007286947.tif 000009